(57)【特許請求の範囲】
【請求項１】
複数の点灯表示領域を、相違した色の光により点灯表示する遊技機の電飾装置において、
該各点灯表示領域の背後に配置され、相違した色の光を放射する光源と、
該各点灯表示領域の該光源の前方に配置され、所定の形状の点灯表示面を前面に有した複数の導光表示体と、
を備え、
該各導光表示体は、隣接する該導光表示体を組み合わせて前面に点灯表示面を形成し、該各導光表示体の隣接する側面に、白色系塗料を塗布またはコーティングしてなる遮光膜を付して構成され、
かつ、該導光表示体は、周辺導光表示体と特定導光表示体とから構成され、該特定導光表示体が該周辺導光表示体内に形成された特定形開口孔内に密に嵌入され、
該導光表示体の前面には、該導光表示体から放射された光を拡散して前方に放射する光拡散板が配置され、
前記光源及び該導光表示体はケース内に収容され、該ケースの前面に透明カバーが被せられ、該ケース内の背面と側壁面及び該透明カバーの側壁面に遮光反射膜が塗布またはコーティングされたことを特徴とする遊技機の電飾装置。
【発明の詳細な説明】
【技術分野】
【０００１】
本発明は、遊技機の遊技盤上に装着される電飾装置に関し、特に色の異なる複数の点灯領域を、影を生じさせずに、鮮明に発光表示することができる電飾装置に関する。
【背景技術】
【０００２】
従来、パチンコ遊技機の遊技盤上には、各種の電飾装置が装着され、各種の形状の表示部が各種の表示色で表示される。通常、この種の電飾装置には、ランプを装着したランプ基板の前面に、各種の形状と図形、文字、符合、絵柄などを有した透光性着色カバーが配設され、その透光性着色カバーがランプの背面照明により、各種の表示色で点灯表示される。
【０００３】
例えば、下記特許文献１には、取付基板の前面に、仕切り壁によって仕切られた領域の各々にランプが配置され、それらのランプ前面の各領域に、色彩の異なるランプカバーを取り付けた電飾装置が記載され、この電飾装置は、ランプの点灯によりランプから照射された光がそれらのランプカバーを通して前面に照射され、ランプカバーが各々特定の色彩で点灯表示される。
【特許文献１】実開平６−２６９７５号公報
【発明の開示】
【発明が解決しようとする課題】
【０００４】
しかし、従来のこの種の電飾装置は、点灯表示部が仕切り壁により仕切られ、各仕切り壁によって区画された領域の基部に、ランプを取り付けたランプ基板が配設され、着色ランプカバーが仕切り壁によって区画された領域の上部を覆うように取り付けられ、各領域内のランプが点灯されることにより、着色ランプカバーが各々の色彩で点灯表示される。
【０００５】
このため、着色ランプカバーの表示面を比較的穏やかに点灯表示することができるものの、各色彩部分を鮮明に印象強く点灯表示することができにくいという課題があった。
【０００６】
また、点灯表示領域を形成するための仕切り壁が点灯表示部の内側に位置するため、特に一部の領域のランプを消灯した場合、仕切り壁の前端面が影として現れ、点灯表示性能が阻害される問題があった。
【０００７】
本発明は、上述の課題を解決するものであり、複数の点灯表示領域を、色の異なる光により、影のない鮮明な点灯表示を行なうことができる遊技機の電飾装置を提供することを目的とする。
【課題を解決するための手段】
【０００８】
本発明に係る遊技機の電飾装置は、複数の点灯表示領域を、相違した色の光により点灯表示する遊技機の電飾装置において、該各点灯表示領域の背後に配置され、相違した色の光を放射する光源と、該各点灯表示領域の該光源の前方に配置され、所定の形状の点灯表示面を前面に有した複数の導光表示体と、を備え、該各導光表示体は、隣接する該導光表示体を組み合わせて前面に点灯表示面を形成し、該各導光表示体の隣接する側面に、白色系塗料を塗布またはコーティングしてなる遮光膜を付して構成され、かつ、該導光表示体は、周辺導光表示体と特定導光表示体とから構成され、該特定導光表示体が該周辺導光表示体内に形成された特定形開口孔内に密に嵌入され、該導光表示体の前面には、該導光表示体から放射された光を拡散して前方に放射する光拡散板が配置され、前記光源及び該導光表示体はケース内に収容され、該ケースの前面に透明カバーが被せられ、該ケース内の背面と側壁面及び該透明カバーの側壁面に遮光反射膜が塗布またはコーティングされたことを特徴とする。
【発明の効果】
【００１１】
上記構成の電飾装置は、各点灯表示領域の光源が点灯発光すると、その前方の各導光表示体内にその背面から光が入射し、各導光表示体内を光が前方に進み、各導光表示体の前面から前方に放射される。例えば、導光表示体として、周辺導光表示体と周辺導光表示体に形成された特定開口孔内に嵌入される特定導光表示体とが使用され、特定導光表示体として、前面を文字形状に形成した導光表示体の場合、周辺導光表示体とは異なった色の光が、文字形状の特定導光表示体の前面から前方に放射される。
【００１２】
このとき、各点灯表示領域の光源から放射された各色の光が、直ちに各導光表示体に入射し、導光体内を前方に導光され、その前面から光が放射されるため、高輝度の光を放射して各導光表示体の前面を鮮明に点灯表示することができる。
【００１３】
また、各導光表示体の側面つまり周辺導光表示体と特定導光表示体の隣接する側面に遮光膜が付されているため、周辺導光表示体と特定導光表示体の相違した色の光が、混合することなく前面から放射され、特定導光表示体の前面の文字形状を鮮明に表示することができる。
【００１４】
さらに、各導光表示体間には従来のような仕切り壁がないため、仕切り壁の前縁部が影となって表示面に現われることはなく、美しく点灯表示することができる。
【発明を実施するための最良の形態】
【００１５】
以下、本発明の一実施形態を図面に基づいて説明する。図１は遊技機用の電飾装置の斜視図を示し、図２はその縦断面図を示し、図３はその分解斜視図を示している。１は電飾装置のケースであり、円形の容器状に合成樹脂などで形成される。ケース１内には光源となる発光器用の基板（回路基板）２が配設される。
【００１６】
基板２は略円板状に形成され、基板２上に、発光器用の回路が形成されると共に、当該回路上に、光源として複数の周辺発光器３と複数の特定発光器４が電流制限用の抵抗と共に実装される。ケース１の前方に点灯表示領域が形成され、その点灯表示領域の背後に上記複数の周辺発光器３と複数の特定発光器４が配置される。
【００１７】
周辺発光器３には例えば白色発光ダイオードが使用され、白色発光ダイオードからなる複数の周辺発光器３は、基板２の周縁部を円環状に囲うように配置され、電飾装置の前面（点灯表示面）の周辺部を白色で発光表示するように設けられる。
【００１８】
一方、特定発光器４には例えば赤色発光ダイオードが使用され、赤色発光ダイオードからなる複数の特定発光器４は、基板２上で周辺発光器３が囲う部分の内側に、特定導光表示体６の表示する文字の各画に沿って配置され、電飾装置の点灯表示面に赤色の文字を発光表示するように設けられる。
【００１９】
ここでは、図６に示すように、特定導光表示体６の前面表示形状が「寿」の文字で形成されるため、特定発光器４は、「寿」の文字の各画に沿って配置され、「寿」の文字が赤色で発光表示される。図２、３に示すように、基板２上には、そこに実装される周辺発光器３及び特定発光器４を保護するために、透明アクリル板などからなる透明保護カバー９が被せるように装着される。
【００２０】
さらに、透明保護カバー９の前面に、上記導光表示体として、周辺導光表示体５と特定導光表示体６が組み合わせて配設される。この周辺導光表示体５は、図４、５に示すように、透明アクリル樹脂などの導光体により略円板状に形成され、内側に特定形開口孔５ｂが貫通して刳り貫くように形成されている。
【００２１】
この特定形開口孔５ｂの前面形状は、「寿」の文字状に形成され、この「寿」の特定形開口孔５ｂの前面形状が、特定導光表示体６の形状に対応している。周辺導光表示体５の周囲の側面（側壁部）には、白色系塗料が遮光膜５ａとして塗布またはコーティングされている。白色系塗料としては、白色塗料のほか、アイボリー、ベージュなどの白色系の塗料を含む概念である。
【００２２】
特定導光表示体６は、図５に示すように、周辺導光表示体５の厚さと同じ厚さを持ち、その前面形状が「寿」の文字となるように、透明アクリル樹脂などの導光体により形成される。この特定導光表示体６は、上記の如く、周辺導光表示体５の特定形開口孔５ｂに密に嵌入可能に、つまり周辺導光表示体５に貫通して刳り貫くように形成された特定形開口孔５ｂの大きさより僅かに小形の「寿」の文字形状となるように形成されている。
【００２３】
また、この特定導光表示体６の側面（全ての側壁面）には、白色系塗料が遮光膜６ａとして塗布またはコーティングされている。なお、この遮光膜６ａは、隣接する周辺導光表示体５との境界に配置すればよいため、周辺導光表示体５の特定形開口孔５ｂの内側壁面に、塗布またはコーティングすることもできる。また、遮光膜は白色系フィルムにより形成し、その白色系フィルムを、周辺導光表示体５の特定形開口孔５ｂの内側壁面または特定導光表示体６の側面に接着することもできる。
【００２４】
図４に示すように、前面形状を文字状とした特定導光表示体６が、周辺導光表示体５の特定形開口孔５ｂに密に嵌入されて組み付けられるが、その特定導光表示体６と周辺導光表示体５の隣接部分（全ての境界面部分）に、遮光膜６ａが付されることとなる。この遮光膜６ａは、従来の仕切り壁とは異なり、その厚さが非常に薄く、観者には殆ど視認されない形状とすることができる。
【００２５】
また、特定導光表示体６の前面の文字形状は、上記基板２に配置した特定発光器４の配置形状と同じであり、特定発光器４から放射された光は、透明保護カバー９を通過して特定導光表示体６に入射するように配置される。さらに、上記基板２に配置した周辺表示器３は周辺導光表示体５の円周上に沿って配置され、周辺発光器３から放射された光は、透明保護カバー９を通過して周辺導光表示体５に入射するように配置される。
【００２６】
このような特定導光表示体６と周辺導光表示体５を組み合わせた導光表示体は、図２，３のように、ケース１内に配置した透明保護カバー９の前面に配設され、その前面を覆うように透明カバー７がケース１の前面に取り付けられる。この透明カバー７は、透明アクリル樹脂などにより略円形容器状に形成され、その前面内側に、光拡散板８（図２）が前面を覆って取着される。
【００２７】
光拡散板８は透明板の上に光拡散フィルムを接着して構成され、特定導光表示体６と周辺導光表示体５の前面から放射された光を拡散し、その拡散光を透過させる。拡散光は透明カバー７を通して正面に放射され、装置の正面を面発光させる構造となっている。
【００２８】
光拡散板８は、特定導光表示体６と周辺導光表示体５の直ぐ前面に配置されるため、特定発光器４から放射され特定導光表示体６内を通過した赤色光は特定導光表示体６の前面内側で直ちに拡散され、周辺導光表示体５側に染み出すことなく前面に放射される。同様に、周辺発光器３から放射され周辺導光表示体５内を通過した白色光は周辺導光表示体５の前面内側で直ちに拡散され、特定導光表示体６側に染み出すことなく前面に放射される構造となっている。
【００２９】
上記構成の電飾装置は、図示しない遊技機の遊技盤上に取り付けられて使用される。使用時には光源となる周辺発光器３と特定発光器４が点灯される。
【００３０】
複数の周辺発光器３と特定発光器４が点灯発光すると、周辺発光器３から放射された光は、その前面の透明保護カバー９を通り、周辺導光表示体５に入射し、周辺導光表示体５内を光が前面に導光される。そして、周辺導光表示体５の前面から前方に放射された光は、その前方の光拡散板８により拡散し、透明カバー７を通して前面に放射される。
【００３１】
また同時に、特定発光器４から放射された光は、その前面の透明保護カバー９を通り、文字形状の特定導光表示体６に入射する。その光は、特定導光表示体６内を前面に導光され、特定導光表示体６の前面から前方に放射された光は、その前面の光拡散板８により拡散し、透明カバー７を通して前面に放射される。
【００３２】
上述のように、白色発光ダイオードの周辺発光器３からは、高輝度の白色光が円環状に放射され、周辺導光表示体５を通り、光拡散板８で拡散されて、略円環状の拡散白色光となって前面に放射される。一方、赤色発光ダイオードの特定発光器４からは、高輝度の赤色光が放射され、文字形状の特定導光表示体６を通り、光拡散板８で拡散されて、文字形状の赤色拡散光となって前面に放射され、これにより、電飾装置の前面表示部の周辺部は白色光により発光表示され、その内側に文字形状の特定表示部が赤色光により発光表示される。
【００３３】
このとき、周辺発光器３から放射された光は、その前面の透明保護カバー９を通り、直ちに周辺導光表示体５に入射し導光体内を前方に導光され、ケース１内で光が空気中を長く進行することがないため、高輝度の光を装置の前面から放射することができ、周辺導光表示体５の前面形状を鮮明に点灯表示することができる。
【００３４】
同様に、特定発光器４から放射された光は、その前面の透明保護カバー９を通り、直ちに特定導光表示体６に入射し導光体内を前方に導光され、ケース１内で光が空気中を長く進行することがないため、高輝度の光を装置の前面から放射して、特定導光表示体６の前面形状つまり「寿」の文字を鮮明に点灯表示することができる。
【００３５】
さらに、特定導光表示体６の側面つまり周辺導光表示体５との境界面に遮光膜６ａが付されているため、周辺導光表示体５と特定導光表示体６の相違した色の光が混合することなく前面から放射され、図７のように、特定導光表示体６の前面の文字形状を、周囲の表示面から浮かび上がるように、より高い輝度で鮮明に表示することができる。
【００３６】
さらに、従来のように各導光表示体間に仕切り壁がないため、仕切り壁の前縁部が影となって表示面に現われることはなく、美しく点灯表示することができる。
【００３７】
なお、本願発明の電飾装置は上記実施形態に限定されるものではなく、以下のような態様でも電飾装置は実施可能であり、これらは本願発明の技術的思想に含まれるものである。
（１）上記実施形態では、特定導光表示体６の形状を「寿」の文字形状としたが、特定導光表示体の前面形状は、他の文字、符合、絵柄、図形、キャラクターなど任意の形状とすることができる。勿論、その特定導光表示体の形状に応じて、周辺導光表示体の特定形開口孔の前面形状も形成される。
（２）上記実施形態では、光拡散板８を透明カバー７の内側に配設したが、透明保護カバー９の前面になど、導光表示体の背面側に光拡散板を配置し、発光器からの放射光を拡散させた状態で、導光表示体に入射する構成とすることもできる。
（３）上記実施形態では、周辺導光表示体５の外形形状は、略円板状の円形としたが、各種の絵柄、図形、キャラクターなど任意の形状とすることができる。
【図面の簡単な説明】
【００３８】
【図１】本発明の一実施形態を示す電飾装置の斜視図である。
【図２】同電飾装置の縦断面図である。
【図３】同電飾装置の分解斜視図である。
【図４】導光表示体の斜視図である。
【図５】周辺導光表示体に特定導光表示体を嵌め込む状態を示す斜視図である。
【図６】周辺発光器と特定発光器の配置を示す正面説明図である。
【図７】点灯表示状態を示す電飾装置の正面図である。
【符号の説明】
【００３９】
１      ケース
２      基板
３      周辺発光器
４      特定発光器
５      周辺導光表示体
５ａ    遮光膜
５ｂ    特定形開口孔
６      特定導光表示体
６ａ    遮光膜
７      透明カバー
８      光拡散板
９      透明保護カバー
【図１】
0004733086.tif 000002
【図２】
0004733086.tif 000003
【図３】
0004733086.tif 000004
【図４】
0004733086.tif 000005
【図５】
0004733086.tif 000006
【図６】
0004733086.tif 000007
【図７】
0004733086.tif 000008